(57)【要約】      （修正有）【課題】連結が安定し、信頼性が高くて、道具が不要で、操作部を操作することだけで家具板材の迅速に組み立てることができ、便利に使用することが可能な家具連結用止め具を提供する。【解決手段】家具連結用止め具は、雄止め具１と雌止め具２を含み、前記雄止め具内にはロックレバー３が枢着され、ロックレバー３の先端は雄止め具１から突出するようになっており、かつ、当該先端には十字状突出部を設ける。前記雌止め具２内には収納室が設けられ、突出部の長十字アームはロックレバーの軸方向に沿って配置され、短十字アームはロックレバー３の軸方向に直交するようになっており、ロックレバー３上には操作部３３が設けられ、収納室内には位置制限段差を突出して設ける。位置制限段差に囲まれている位置制限溝の幅は前記短十字アームの長さより小さくなっており、収納室内の前端は端部蓋により封止され、端部蓋上には、長十字アーム前端を収納するように位置制限孔を設ける。【選択図】図１
0003176020.tif 000002
【実用新案登録請求の範囲】
【請求項１】
雄止め具（１）と雌止め具（２）とを含み、前記雄止め具（１）内にはロックレバー（３）が枢着され、ロックレバー（３）の先端は雄止め具（１）から突出するようになっており、かつ、当該先端には突出部が設けられ、前記雌止め具（２）内には前記突出部と係合する収納室（２１）が設けられている家具連結用止め具であって、
前記ロックレバー（３）の突出部は十字状になっており、該突出部の長十字アーム（３１）はロックレバー（３）の軸方向に沿って配置され、該突出部の短十字アーム（３２）はロックレバー（３）の軸方向と直交するようになっており、ロックレバー（３）上には操作部（３３）が設置され、
雄止め具（１）に接触する前記雌止め具（２）の後端の収納室（２１）内には径方向に沿って位置制限段差（２２）が設けられ、前記位置制限段差（２２）に囲まれている位置制限溝（２３）の幅は前記短十字アーム（３２）の長さより小さくなっており、前記収納室（２１）内の前端は端部蓋（２４）により封止され、前記端部蓋（２４）上には、ロックレバー（３）の長十字アーム（３１）の前端を収納するように位置制限孔（２５）が設けられ、前記位置制限孔（２５）と前記長十字アーム（３１）の前端が互いに対応し、
前記雄止め具（１）における前記雌止め具（２）との接触部位は雌止め具（２）の後端と対応する平面（１６）であることを特徴とする家具連結用止め具。
【請求項２】
前記雄止め具（１）の外縁には逆歯形部（４）が設けられていることを特徴とする請求項１に記載の家具連結用止め具。
【請求項３】
前記雌止め具（２）の外縁には逆歯形部（４）が設けられていることを特徴とする請求項１に記載の家具連結用止め具。
【請求項４】
前記ロックレバー（３）の後端には直径が増大する階段状底部板（３４）が設けられていることを特徴とする請求項１に記載の家具連結用止め具。
【請求項５】
前記雄止め具（１）の止めアームには、前記底部板（３４）と係合する収納溝（１３）が設けられていることを特徴とする請求項４に記載の家具連結用止め具。
【請求項６】
前記雄止め具（１）は２つの半分止め具（１１）からなることを特徴とする請求項１〜５のいずれか一項に記載の家具連結用止め具。
【請求項７】
前記２つの半分止め具（１１）は底部に設けられているヒンジを通じて連結されることを特徴とする請求項６に記載の家具連結用止め具。
【請求項８】
前記２つの半分止め具（１１）の自由端には締め付け部が設けられ、該締め付け部は１つの半分止め具（１１）の端面上に凹んで設けられている挿入孔（１４）と、他の１つの半分止め具（１１）の端面から突出し、かつ、前記挿入孔（１４）に差し込まれるピン（１５）と、を備えることを特徴とする請求項７に記載の家具連結用止め具。
【請求項９】
前記２つの半分止め具（１１）に囲まれて頂部に開口を有する空洞（１２）が設けられ、前記ロックレバー（３）の操作部（３３）は前記空洞（１２）内に設置されていることを特徴とする請求項８に記載の家具連結用止め具。
【請求項１０】
前記ロックレバー（３）において、前記空洞（１２）の前方の内壁に対応する部位に階段状ストッパー部（３５）が設けられていることを特徴とする請求項９に記載の家具連結用止め具。
【請求項１１】
前記長十字アーム（３１）の前端は小十字状（３６）になっていることを特徴とする請求項１に記載の家具連結用止め具。
【請求項１２】
前記操作部（３３）の自由端は内部に向かって曲がっている円弧形に設けられ、前記円弧形の凸面には凸部（３７）が設けられていることを特徴とする請求項１に記載の家具連結用止め具。
【考案の詳細な説明】
【技術分野】
【０００１】
本考案は、家具連結部材の技術領域に関し、特に家具連結用止め具に関連する。
【背景技術】
【０００２】
既存のパネル式家具では、２つの互いに直交する家具パネルの固定は主に以下の方式を採用する。
【０００３】
１、木ネジまたは平くぎを用いて各部材を連結する方式であって、該方式は製品を完全に固定連結する方式であり、このような方式は使用者にとって取り扱いにくくなり、所定の組立操作機能を有する人だけが良好に組立を行うことができ、かつ、取り外しにくい問題があり、工場で組み立てられた製品の場合、製品の梱包サイズが大きくなり、搬送が不便で、搬送費用が高くなる。
【０００４】
２、２つの部材を１つに結合するプラスチック連結部材を利用して各部材を連結する方式であって、該方式で使われる連結部材はパネル上に突出され、視覚美観上に影響を与え、かつ、使用者が必ず補助工具を使用して組み立てる必要があり、取り扱いにくくなり、連結部位に間隙が発生し易くなり、取り外しにくい問題点がある。
【考案の概要】
【考案が解決しようとする課題】
【０００５】
本考案の目的は、従来の問題点を解決し、工具無しで迅速に組み立てることができ、かつ、安定的な連結が可能な止め具を提供することにある。
前記目的を実現するため、本考案は、次のような技術方案を採用する。
【０００６】
家具連結用止め具であって、雄止め具と雌止め具を含み、前記雄止め具内にはロックレバーが枢着され、ロックレバーの先端は雄止め具から突出するようになっており、かつ、当該先端には突出部が設けられ、前記雌止め具内には前記突出部と係合する収納室が設けられており、
【０００７】
前記ロックレバーの突出部は十字状になっており、該突出部の長十字アームはロックレバーの軸方向に沿って配置され、該突出部の短十字アームはロックレバーの軸方向と直交するようになっており、ロックレバー上には操作部が設置され、雄止め具に接触する前記雌止め具の後端の収納室内には径方向に沿って位置制限段差が設けられ、前記位置制限段差に囲まれている位置制限溝の幅は前記短十字アームの長さより小さくなっており、前記収納室内の前端は端部蓋により封止され、前記端部蓋上には、ロックレバーの長十字アームの前端を収納するように位置制限孔が設けられ、前記位置制限孔と前記長十字アームの前端が互いに対応し、前記雄止め具における前記雌止め具との接触部位は雌止め具の後端と対応する平面である。
【０００８】
本考案の技術方案は更に下記を含む。
前記雄止め具の外縁には逆歯形部が設けられている。
前記雌止め具の外縁には逆歯形部が設けられている。
前記ロックレバーの後端には直径が増大する階段状底部板が設けられている。
上記に対応して、前記雄止め具の止め具アーム上には前記底部板と係合する収納溝が設けられている。
前記雄止め具は２つの半分止め具により構成される。
前記２つの半分止め具は底部のヒンジにより連結される。
【０００９】
前記２つの半分止め具の自由端には締め付け部が設けられ、前記締め付け部は半分止め具の端面上に凹んで設けられている挿入孔と、他の半分止め具の端面上に突出して設けられ、かつ、前記挿入孔に係合するピンと、を含む。
前記２つの半分止め具に囲まれて頂部に開口を有する空洞が設けられ、前記ロックレバーの操作部は前記空洞内に設置されている。
前記ロックレバーにおいて、前記空洞の前方の内壁に対応する部位に階段状ストッパー部が設けられている。
前記長十字アームの前端は小十字状になっている。
前記操作部の自由端は内部に向かって曲がっている円弧形に設けられ、前記円弧形の凸面には凸部が設けられている。
【考案の効果】
【００１０】
本考案によれば、前記雄止め具と前記雌止め具はそれぞれ家具板材に予め設けられている取付け溝内に設置され、取付ける際に、前記ロックレバー前端の十字状の突出部に対して前記位置制限溝を貫通させて、雌止め具の収納室内に挿入し、前記操作部を操作して、ロックレバーを回転させることで、短十字アームを前記位置制限段差上に締め掛け、後への脱出を防止することで、雄止め具と雌止め具を固着し、家具板材を強固に連結し、また、前記長十字アームの前端を位置制限孔に挿入することにより、ロックレバーが雌止め具内で上下摺動することを防止し、家具板材の連結が緩くなるのを防止し、本考案によれば、連結が安定し、信頼性が高くて、道具が不要で、操作部を操作することだけで家具板材を迅速に組み立てることができ、便利に使用することが可能になる。
【図面の簡単な説明】
【００１１】
【図１】本考案の構造を示す。
【図２】本考案の構造を示す分解説明図である。
【図３】本考案の雄止め具の構造を示す。
【図４】本考案の止め具を家具板材内に取付けられた状態を示す。
【図５】本考案の家具連結用止め具のロックレバーの構造を示す。
【考案を実施するための形態】
【００１２】
下記では図面を参照して本考案に対して更に詳しく説明する。図１、２、３、４は本考案の最適な実施例を示す。本考案の家具連結用止め具は、雄止め具１と雌止め具２を含み、前記雄止め具１内にはロックレバー３が枢着され、ロックレバー３の先端は雄止め具１から突出するようになっており、かつ、当該先端には突出部が設けられ、前記雌止め具２内には前記突出部と係合する収納室２１が設けられ、前記ロックレバー３の突出部は十字状になっており、該突出部の長十字アーム３１はロックレバー３の軸方向に沿って配置され、短十字アーム３２はロックレバー３の軸方向に直交するようになっており、ロックレバー３上には操作部３３が設けられ、雄止め具１に接触する前記雌止め具２の後端の収納室２１内には径方向に沿って位置制限段差２２が突出して設けられ、前記位置制限段差２２に囲まれている位置制限溝２３の幅は前記短十字アーム３２の長さより小さくなっており、前記収納室２１内の前端は端部蓋２４により封止され、前記端部蓋２４上には、ロックレバー３の長十字アーム３１前端を収納するように位置制限孔２５が設けられ、前記位置制限孔２５と前記長十字アーム３１の前端が互いに対応し、前記雄止め具１における前記雌止め具２との接触部位は雌止め具２の後端面と対応する平面１６である。ここで、平面１６を設けることにより雄止め具１と雌止め具２が緊密に接触されることができ、これにより、家具板材５の連結密着性を保証する。
【００１３】
図１および図４に示すように、本考案の止め具を使用する際に、雄止め具１と雌止め具２をそれぞれ家具板材５上に予め設けられている取付け溝内に設け、具体的には、雄止め具１を板材５の頂部に取付け、雄止め具１の頂面と板材５の頂面が一致し、前記雌止め具２は他の板材５の側端に取付け、雌止め具２の後端面と前記板材５の側面が一致し、雌止め具２の中心線と前記ロックレバー３の軸線が重なり合うようになっている。家具板材５を取付ける際に、前記ロックレバー３が漸次に雌止め具２に接近し、かつ、雌止め具２の収納室２１内に挿入されるように、２つの板材５を移動させ、前記操作部３３を操作してロックレバー３を回転させることで、短十字アーム３２を前記位置制限段差２２上に締め掛け、後ろへ脱出しないようにして、雄止め具１と雌止め具２を連結し、家具板材５を強固に連結し、同時に、前記長十字アーム３１の前端を位置制限孔２５に挿入することで、ロックレバー３が雌止め具２内で上下摺動するのを防止し、家具板材５の連結が緩くなることを防止する。
【００１４】
図２に示すように、本実施例の前記雄止め具１の外側には逆歯形部４が設けられ、前記雌止め具２の外縁には逆歯形部４が設けられている。本考案の前記雄止め具１と雌止め具２は、押し込み方式により家具板材５の取付け溝内に押し込まれ、前記逆歯形部４は、本実施例における使用の便利性を高めることができ、同時に、前記空洞１２を設けることにより、雄止め具１の加工に必要な材料用量を節約することができ、加工コストが低減される。
【００１５】
図２と図４に示すように、本実施例における前記ロックレバー３には、前記空洞１２の前方の内壁に対応する箇所に階段状ストッパー部３５が設けられている。該ストッパー部３５の階段面は、前記空洞１２の前内部に当接し、これにより、ロックレバー３が前に向かって摺動することを防止し、該ストッパー部３５と前記底部板１３は共に前記雌止め具１内のロックレバー３の軸方向における位置を固定し、使用中のロックレバー３の軸方向摺動を防止する。
【００１６】
図５に示すように、本実施例のロックレバー３において、前記長十字アーム３１の前端は小十字状３６であり、小十字状３６は長十字アーム３１と位置制限孔２５の間の係合を増強し、ロックレバー３が雌止め具２内で上下摺動することを更に防止し、家具板材５の連結安定性を高める。
【００１７】
当然ながら、前記長十字アーム３１の前端は十字状構造に限らず、本考案の請求範囲に記載されている構造、特徴および原理を達する変化または修飾による長十字アーム３１の前端は本考案の保護範囲に含まれるべきである。
前記操作部３３の自由端は内部に向かって曲がっている円弧形であり、前記円弧形の凸面には凸部３７が設けられている。
【００１８】
上述内容は、本考案の最適な実施方式であり、本考案の請求範囲に記載されている構造、特徴および原理を達する変化または修飾は本考案の保護範囲に含まれるべきである。
【図１】
0003176020.tif 000003
【図２】
0003176020.tif 000004
【図３】
0003176020.tif 000005
【図４】
0003176020.tif 000006
【図５】
0003176020.tif 000007